(57)【要約】【課題】乗客コンベアのための進入防止装置において、欄干デッキが傾斜していても個別の設計あるいは個別の製作を不要とすることである。【解決手段】エスカレータ１０の横側には人等が入りこまないように落下防止柵のような障壁６が設けられる。この障壁６で通常はユーザの進入は防止されるが、問題の進入可能隙間空間８は、この障壁６と欄干体２２との間に生じうる。エスカレータ１０のための進入防止装置４０は、この隙間空間８に設けられる。進入防止装置４０は、欄干デッキの下曲がり部２８の上面に取り付けられる取付板４２と、進入可能隙間空間に配置される防止部材４４と、防止部材４４の底部と取付板４２との間に設けられて取付板４２に対する防止部材４４の傾斜角度を変更する傾斜角度変更手段とを含んで構成される。【選択図】図２
2007008608.tif 000002
【特許請求の範囲】
【請求項１】
乗客コンベアの移動ステップの両側に設けられるハンドレールの支持のための欄干部において、ユーザが進入可能な隙間空間をふさぐための進入防止装置であって、
欄干部の基部である欄干デッキの上面に取り付けられる取付板と、
進入可能空間に配置される防止部材と、
防止部材の底部と取付板との間に設けられ、取付板に対する防止部材の傾斜角度を変更する傾斜角度変更手段と、
を備えることを特徴とする乗客コンベアのための進入防止装置。
【請求項２】
乗客コンベアの移動ステップの両側に設けられるハンドレールの支持のための欄干部において、ユーザが進入可能な隙間空間をふさぐための進入防止装置であって、
欄干部の基部である欄干デッキの上面に取り付けられる取付板と、
進入可能空間に配置され、奥行と幅とを有する防止部材と、
を含み、
防止部材は、
その底面部の奥行方向の一方端側において幅方向に平行な回転軸周りに取付板に対し回転可能に支持され、
その底面部の奥行方向の他方端側において、回転軸周りの回転によって取付板に対して傾斜した姿勢が任意の傾斜角度に固定されることを特徴とする乗客コンベアのための進入防止装置。
【請求項３】
請求項２に記載の乗客コンベアのための進入防止装置において、
取付板は、防止部材の底面部の奥行方向の他方端側に対応して立ち上がる傾斜角度調整板部を有し、
傾斜角度調整板部は、回転軸を曲率の中心とする円弧状の傾斜案内溝を有し、防止部材と取付板とは、傾斜案内溝に案内され回転軸を中心に相対的に傾斜して固定されることを特徴とする乗客コンベアのための進入防止装置。
【請求項４】
請求項２に記載の乗客コンベアのための進入防止装置において、
防止部材は、防止部材の底面部の奥行方向の他方端側において立ち下がる傾斜角度調整板部を有し、
傾斜角度調整板部は、回転軸を曲率の中心とする円弧状の傾斜案内溝を有し、防止部材と取付板とは、傾斜案内溝に案内され回転軸を中心に相対的に傾斜して固定されることを特徴とする乗客コンベアのための進入防止装置。
【発明の詳細な説明】
【技術分野】
【０００１】
本発明は、乗客コンベアのための進入防止装置に係り、特に、乗客コンベアの移動ステップの両側に設けられるハンドレールの支持のための欄干部において、ユーザが進入可能な隙間空間をふさぐための進入防止装置に関する。
【背景技術】
【０００２】
エスカレータや、動く歩道等の乗客コンベアの乗降口周辺に人間が入り込める程度の隙間があると、移動するハンドレール等との間に挟まれあるいは巻き込まれることが生じうる。また、上部階のエスカレータの乗降口周辺に隙間があると、そこから下部階に物が落ちる等の危険も生じうる。そのために、乗客コンベアの乗降口周辺には、安全柵等が設けられるが、ハンドレールを支持する欄干部とその安全柵との間にも隙間が生じることがあり、その場合には、その隙間空間もふさぐことが必要となる。
【０００３】
特許文献１には、無端状に連結されて移動するステップと、ハンドレールと、ハンドレールとステップとのあいだの側壁となる欄干体とを備えた乗客コンベアの乗降口外側における乗客コンベアの安全設備が開示されている。そこでは安全装置として欄干体を構成する欄干フレーム、欄干パネル、欄干デッキとで形成される空間部に、欄干デッキの横幅を塞ぐ進入阻止体が設けられることが述べられている。この進入阻止体は、欄干デッキの上面に固設され、高可撓性部材と低可撓性部材とから構成され、人体によって押されても変形しにくく、例え部材の一部が破損しても他の部材が残って人体の落下を阻止できる、と述べられている。
【０００４】
【特許文献１】特開平１０−８７２５６号公報
【発明の開示】
【発明が解決しようとする課題】
【０００５】
従来、乗客コンベアの欄干体の外側に生じる隙間空間は、主に、欄干体の基部である欄干デッキの上面の部分であるので、端的に欄干デッキに何らかの障壁を取り付け、これを進入阻止体又は進入防止体としている。
【０００６】
エスカレータはもとより移動するステップは傾斜を有するが、動く歩道においても、移動するステップは必ずしも平坦ではない。したがって、ハンドレールも、それを支える欄干体の基部である欄干デッキも、傾斜を有する部分がかなりある。欄干デッキが傾斜しているところに形成される隙間空間をふさぐには、従来技術においては、傾斜面に一々合わせた形状の進入防止体を製作している。
【０００７】
このように、従来技術によれば、乗客コンベアの設置に合わせ、あるいはその設置後に、各隙間空間の位置及び欄干デッキの傾斜の寸法等を測定し、それぞれについて個別設計と個別製作を行い、得られた進入防止体をそれぞれの個所に設置する。したがって、相当の設計負荷、製作負荷を要している。
【０００８】
本発明の目的は、欄干デッキが傾斜していても個別の設計あるいは個別の製作を不要とする乗客コンベアのための進入防止装置を提供することである。
【課題を解決するための手段】
【０００９】
本発明に係る乗客コンベアのための進入防止装置は、乗客コンベアの移動ステップの両側に設けられるハンドレールの支持のための欄干部において、ユーザが進入可能な隙間空間をふさぐための進入防止装置であって、欄干部の基部である欄干デッキの上面に取り付けられる取付板と、進入可能空間に配置される防止部材と、防止部材の底部と取付板との間に設けられ、取付板に対する防止部材の傾斜角度を変更する傾斜角度変更手段と、を備えることを特徴とする。
【００１０】
また、本発明に係る乗客コンベアのための進入防止装置は、乗客コンベアの移動ステップの両側に設けられるハンドレールの支持のための欄干部において、ユーザが進入可能な隙間空間をふさぐための進入防止装置であって、欄干部の基部である欄干デッキの上面に取り付けられる取付板と、進入可能空間に配置され、奥行と幅とを有する防止部材と、を含み、防止部材は、その底面部の奥行方向の一方端側において幅方向に平行な回転軸周りに取付板に対し回転可能に支持され、その底面部の奥行方向の他方端側において、回転軸周りの回転によって取付板に対して傾斜した姿勢が任意の傾斜角度に固定されることを特徴とする。
【００１１】
また、本発明に係る乗客コンベアのための進入防止装置において、取付板は、防止部材の底面部の奥行方向の他方端側に対応して立ち上がる傾斜角度調整板部を有し、傾斜角度調整板部は、回転軸を曲率の中心とする円弧状の傾斜案内溝を有し、防止部材と取付板とは、傾斜案内溝に案内され回転軸を中心に相対的に傾斜して固定されることが好ましい。
【００１２】
また、本発明に係る乗客コンベアのための進入防止装置において、防止部材は、防止部材の底面部の奥行方向の他方端側において立ち下がる傾斜角度調整板部を有し、傾斜角度調整板部は、回転軸を曲率の中心とする円弧状の傾斜案内溝を有し、防止部材と取付板とは、傾斜案内溝に案内され回転軸を中心に相対的に傾斜して固定されることが好ましい。
【発明の効果】
【００１３】
上記構成により、欄干部の基部である欄干デッキの上面に取り付けられる取付板と、防止部材と、取付板に対する防止部材の傾斜角度を変更する傾斜角度変更手段とを備えることとしたので、欄干デッキの傾斜が異なっていても、それに合わせ、取付板に対する防止部材の傾斜角度を変更できる。つまり、取付板に対する防止部材の傾斜角度を任意に変更できる、いわば規格品の進入防止設備を提供できる。したがって、欄干デッキが傾斜していても、傾斜角度変更手段による傾斜角度の調整のみで済み、その傾斜に合わせた個別の設計あるいは個別の製作が不要となる。
【００１４】
また、防止部材は、その底面部の奥行方向の一方端側において回転可能に支持され、他方端側において、回転軸周りの回転によって取付板に対して傾斜した姿勢が任意の傾斜角度に固定されるので、一方端側での回転のみで防止部材を任意の傾斜角度で傾斜できる。
【００１５】
また、回転軸を曲率の中心とする円弧状の傾斜案内溝を有する傾斜角度調整板部によって、防止部材と取付板との相対的傾きが案内され固定されるので、この案内と固定により、回転軸周りの傾斜の設定がより容易になる。
【００１６】
上記のように、本発明に係る乗客コンベアのための進入防止装置によれば、欄干デッキが傾斜していても、その傾斜に合わせる個別の設計あるいは個別の製作が不要になる。
【発明を実施するための最良の形態】
【００１７】
以下に図面を用いて本発明に係る実施の形態に付き詳細に説明する。以下においては、エスカレータの下層階における下部乗降口付近において生じる進入可能空間をふさぐ進入防止装置を説明するが、その設置場所は、エスカレータの上層階における上部乗降口付近であってもよい。また、エスカレータでなく、傾斜部分を有している乗客コンベア、例えば動く歩道等であってもよい。また、欄干部を有する乗客コンベアは、乗客のみならず、荷物等を合わせて運搬するものであってもよい。
【００１８】
図１は、進入防止装置４０が用いられるエスカレータ１０の側面図、図２は、エスカレータ１０の下部乗降口１２近傍における進入防止装置４０の設置状況を説明する斜視図である。エスカレータ１０は、下層階における下部乗降口１２と、上層階における上部乗降口１４との間に設置され、図示されていない駆動装置によって、いわゆる無端状に接続される複数のステップ１６を移動駆動し、それによって乗客を下層階から上層階へ、あるいは上層階から下層階へと移動搬送する機能を有する装置である。エスカレータ１０は、ステップ１６の移動駆動に合わせて移動駆動されるハンドレール１８と、ハンドレール１８を支持する欄干部２０がステップ１６の両側に配置されている。
【００１９】
欄干部２０は、ハンドレール１８を移動自在に支持する支持部分とパネル板状部分とを有する欄干体２２と、欄干体２２をその下部で支持する欄干デッキ２４とを含んで構成される。図２に示されるように、欄干デッキ２４（２６，２８，３０，３２，３４）は、無端状に移動するハンドレール１８の復路部分を覆う機能も有し、したがって、ある程度の幅を有して、ハンドレール１８の移動範囲に沿ってステップ１６の両側に配置される。
【００２０】
欄干デッキ２４は、エスカレータ１０が下部乗降口１２から上部乗降口１４に渡って設置されるとき、図１に示すような略Ｓ字曲線を有するように配置される。すなわち、下部乗降口１２周辺の水平部２６、下曲がり部２８、続いてほぼ一定の傾斜を有する傾斜部３０、上曲がり部３２、そして上部乗降口１４周辺の水平部３４の各部から構成される。下曲がり部２８と上曲がり部３２とは、欄干デッキ２４において共に水平部と傾斜部との間の遷移領域に当たり、前者は上に凹、後者は上に凸で、配置方向に沿って水平からの傾斜角が次第に変化する形状を有する。
【００２１】
この遷移領域に当たる下曲がり部２８と上曲がり部３２の場所は、エスカレータ設置において下層階から立ち上がり、あるいは上層階から立ち下がる部分に当たり、建物において危険が伴う場所であるので、図２に示すようにエスカレータ１０の横側に、人等が入り込まないように落下防止柵のような障壁６が設けられる。この障壁６で通常はユーザの進入は防止されるが、問題の進入可能隙間空間８は、この障壁６と欄干体２２との間に生じうる。エスカレータ１０のための進入防止装置４０は、この隙間空間８に設けられる。図２は下曲がり部２８における進入防止装置４０を示すが、同様の隙間空間８は、上曲がり部３２においても生じるので、図１に示すように、進入防止装置４０も下曲がり部２８と上曲がり部３２に対応して、それぞれ設けられる。
【００２２】
進入防止装置４０は、上記のように、欄干部２０においてユーザが進入可能な隙間空間８をふさぐ機能を有する。進入防止装置４０は、隙間空間８をふさぐ幅を有するとともに、エスカレータ１０の設置方向に沿って欄干部２０の延びる方向の奥行を有する。進入防止装置４０は、欄干デッキ２４の上面に取り付けられる取付板４２と、進入可能隙間空間８に配置される防止部材４４と、防止部材４４の底部と取付板４２との間に設けられて取付板４２に対する防止部材４４の傾斜角度を変更する傾斜角度変更手段とを含んで構成される。図３は、下曲がり部２８において取り付けられる進入防止装置４０の詳細構成図である。なお、上曲がり部３２において取り付けられる進入防止装置４０も同じ構成のものを用いることができる。
【００２３】
進入防止装置４０における取付板４２は、欄干デッキ２４に取り付けられて固定されるとともに、防止部材４４を任意の傾斜角度に保持して支持する機能を有する部材である。上記のように、隙間空間８をふさぐ方向を幅方向とし、欄干部２０の延びる方向を奥行方向として、取付板４２は、幅と奥行を有する平板部分４６と、平板部分４６から立ち上がる４つの立上り部を有する。４つの立上り部は、平板部分４６の奥行方向に沿った両辺からそれぞれ立ち上がり、奥行方向の一方端において両側で立ち上がる一方端立上り部４８に比較して、奥行方向の他方端において両側で立ち上がる他方端立上り部５０は、立ち上がり高さが大きい。
【００２４】
２つの向かい合って立ち上がる一方端立上り部４８は、防止部材４４を幅方向に平行な回転軸周りに回転可能に支持するための機能を有し、そのために各一方端立上り部４８にはそれぞれ穴が設けられる。なお、図３においては、これらの穴は防止部材４４の後述する立下り部６２に隠されており、代わって、立下り部６２にも設けられた穴を通して、立上り部４８の穴に回転可能に挿入されるボルト６６が図示されている。この図示されているボルト６６の軸方向の中心線は、一方端立上り部４８の２つの穴の中心を結ぶ線と一致し、これが取付板４２に対する防止部材４４の回転軸の中心線となる。ボルト６６は、防止部材４４の取付板４２に対する傾きが定まった後は、図３では隠れて図示されていないナットによって固定される。この固定の前までは、ボルト６６は回転軸の機能を有する。
【００２５】
２つの向かい合って立ち上がる他方端立上り部５０は、上記回転軸周りに回転可能な防止部材４４を、任意の傾斜角度で固定するための機能を有し、そのために各他方端立上り部５０には、上記回転軸を曲率の中心とする円弧状傾斜案内溝５２がそれぞれ設けられる。傾斜案内溝５２は、一定の溝幅を有する円環状の穴の一部に相当する形状を有する。すなわち、回転軸を中心として、溝幅分だけ相違する２つの異なる半径の円を描いて、これを、回転軸を中心とした適当な見込み角度で切り取り、切り取った端部を溝幅の直径の半円で結んだ円弧状形状を有する。見込み角度は、例えば一般的なエスカレータの欄干デッキ２４の傾斜部３０の傾斜角度程度でよい。具体的には３５度から４５度程度でよい。
【００２６】
取付板４２は、平板部分４６において、数箇所の取付穴が設けられる。これらの取付穴は、取付板４２を欄干デッキ２４の上面に適当なネジ等の取付手段で取り付けるためのものである。なお、図３では、これらの穴に代わって、ネジ５４が図示されている。かかる取付板４２は、金属板材を所望の形状に加工したものを用いることができる。
【００２７】
防止部材４４は、意匠等を考慮し、例えば透明プラスチック材料で構成される３方壁の部材である。その底部には、金属製の底部部材６０が取り付けられる。底部部材６０は、防止部材４４の３方壁に垂直な方向に平行に取り付けることが好ましいが、図３に示すようにやや傾けた位置で取り付けてもよい。底部部材６０は、取付板４２の４つの立上り部に対応し、４つの立下り部を有する。
【００２８】
取付板４２の一方端立上り部４８に対応する立下り部６２には、上記のように穴が設けられ、取付板４２の一方端立上り部４８に設けられる穴と同軸に合わせられ、そこにボルト６６が挿入され、最終的にはこのボルト６６と図示されていないナットとによって、底部部材６０の立下り部６２と取付板４２の一方端立上り部４８とは締め付けられ固定される。
【００２９】
取付板４２の他方端立上り部５０の傾斜案内溝５２に対応する立下り部６４にもボルト６８が通る穴が設けられる。そして、取付板４２の一方端立上り部４８におけるボルト６６がナットによって締め付けられていないときは、立下り部６４の穴を通ったボルト６８は、傾斜案内溝５２に案内されて、図３に示す矢印方向に傾斜を変更する。すなわち、取付板４２の一方端立上り部４８における回転軸、すなわちボルト６６の中心軸を回転中心として、傾斜案内溝５２に沿ってボルト６８は移動できる。そして、防止部材４４の姿勢が建物の床に対し垂直姿勢となる傾きで、このボルト６８と図示されていないナットとによって、底部部材６０の立下り部６４と取付板４２の他方端立上り部５０とは締め付けられて固定される。
【００３０】
上記構成の進入防止装置４０の、欄干デッキ２４への取り付けは、次の手順で行われる。最初は、進入防止装置は、取付板４２と、底部部材６０が取り付けられた防止部材４４の２つに分離されている。そして、欄干デッキ２４の隙間空間８に対応する位置で、欄干デッキ２４の上面に取付板４２をネジ５４で取り付けしっかりと固定する（取付板取付固定工程）。上記のように、隙間空間８に対応する位置は、下曲がり部２８又は上曲がり部３２であるので、取付板４２は、建物の床に対し傾斜して取り付けられる。
【００３１】
次に、取付板４２の一方端立上り部４８の穴と、防止部材４４の底部部材６０の立下り部６２の穴とを合わせ、ボルト６６を挿入する。このボルト６６は、取付板４２に対する防止部材４４の回転中心軸となる（回転中心ボルトの挿入工程）。ボルト６６は、幅方向の両側の各一方端立上り部４８に対応して２箇所に挿入される。このとき、取付板４２の他方端立上り部５０の傾斜案内溝５２に、底部部材６０の立下り部６４の穴が合うようになっているので、そこにもボルト６８を通す（傾斜案内ボルトの挿入工程）。
【００３２】
そして、ボルト６６を回転中心軸とし、ボルト６８を傾斜案内として、取付板４２に対し防止部材４４を傾斜させる。図３に示す傾斜角度Ｒは、防止部材４４が、障壁６と平行、すなわち建物の床に対し垂直となるような角度である。換言すれば、取付板４２が取り付けられた位置における下曲がり部２８の建物の床に対する傾斜角度に相当する角度である。
【００３３】
防止部材４４が建物の床に対し垂直となる傾斜が決まると、その姿勢で、ボルト６６，６８が図示されていないナットで締め付けられられる。これにより、防止部材４４の底部部材６０と取付板４２とは、傾斜角度Ｒの関係を維持して固定される。このように、欄干デッキ２４の傾きに応じて、傾斜角度Ｒを容易に変更し、防止部材４４を建物の床に垂直にすることができる。なお、回転中心軸としても機能するボルト６６は、抜け止めを設けた回転軸棒としてもよい。
【００３４】
このように、上記構成の進入防止装置によれば、欄干デッキ２４の傾斜によらず、全ての位置に配置が可能であり、取付位置の傾斜に合わせ一々設計、製作をする必要がなくなり、標準規格品とすることができる。また、意匠的にもバランスの取れた垂直進入防止装置とすることができる。
【図面の簡単な説明】
【００３５】
【図１】本発明に係る実施の形態の進入防止装置が用いられるエスカレータの側面図である。
【図２】本発明に係る実施の形態において、エスカレータの下部乗降口近傍における進入防止装置の設置状況を説明する斜視図である。
【図３】本発明に係る実施の形態の進入防止装置の詳細構成図である。
【符号の説明】
【００３６】
６  障壁、８  隙間空間、１０  エスカレータ、１２  下部乗降口、１４  上部乗降口、１６  ステップ、１８  ハンドレール、２０  欄干部、２２  欄干体、２４  欄干デッキ、２６，３４  水平部、２８  下曲がり部、３０  傾斜部、３２  上曲がり部、４０  進入防止装置、４２  取付板、４４  防止部材、４６  平板部分、４８，５０  立上り部、５２  傾斜案内溝、５４  ネジ、６０  底部部材、６２，６４  立下り部、６６，６８  ボルト。
【図１】
2007008608.tif 000003
【図２】
2007008608.tif 000004
【図３】
2007008608.tif 000005